(57)【要約】【課題】片手で作業をするだけで、歯ブラシに歯磨き粉を付けることができるようにした歯磨き粉押出装置を提供する。【解決手段】底板１１上には歯磨き粉が充填されたボトル２０が固定されている。ボトル２０の上部には歯磨き粉を吸引するためのポンプ３０が着脱自在に取り付けられている。ポンプ３０は摺動部３２が設けられ、摺動部３２の下部には吸引ホース３３が連結されている。摺動部３２の上部には歯ブラシ載置部３４が形成されている。歯ブラシ載置部３４は上端には歯ブラシを固定できるように上方が開口した略「Ｕ」字状に形成されている。ポンプ３０の吐出口３５には送出し管４０が連結されている。送出し管４０の先端の吐出口４１が出口１５から引き出されて歯ブラシ載置部３４の上方になるように配置されている。背板１２において、歯ブラシ載置部３４より若干高い位置に係合片５０が形成されている。【選択図】　　　　図１
2004049620.tif 000002
【特許請求の範囲】
【請求項１】
歯磨き粉を充填したボトルと、このボトル内の歯磨き粉を吸引吐出する往復ポンプと、この往復ポンプの往復部材を摺動させる摺動部の上端に形成された歯ブラシ載置部と、往復ポンプの吐出口に連結された送出し管と、歯ブラシの先端を係合させる係合部とを有し、前記送出し管の先端吐出口が歯ブラシ載置部の略上方に位置するとともに、前記係合部が歯ブラシ載置部の略水平方向近傍に位置することを特徴とする歯磨き粉押出装置。
【請求項２】
前記歯ブラシ載置部が、両側が上方へ突出して形成されている請求項１記載の歯磨き粉押出装置。
【請求項３】
前記歯ブラシ載置部が、手前から奥に向かって幅細に形成されている請求項２記載の歯磨き粉押出装置。
【請求項４】
前記歯ブラシ載置部が、両側上端において内側に突出して形成されている請求項２又は３記載の歯磨き粉押出装置。
【発明の詳細な説明】
【０００１】
【発明の属する技術分野】
本発明は、歯磨き粉を歯ブラシに供給することができる装置に関し、さらに詳しくは片手で操作できる歯磨き粉押出装置に関するものである。
【０００２】
【従来の技術】
従来、歯磨き粉はチューブに充填されて販売されており、歯磨きをする場合は、一般に、まず、利き手で歯ブラシを持つとともに、他方の手でチューブを持ち、その後、利き手でチューブのキャップを取り外し、他方の手でチューブを絞って歯磨き粉を歯ブラシ上に押し出している。そして、キャップを閉めてチューブを所定個所に戻した後、歯磨きを始めている。
【０００３】
【発明が解決しようとする課題】
ところで、従来の歯磨き粉チューブで歯ブラシに歯磨き粉を付けるには、上述したような手順の他、人それぞれ異なるが、両手を使用しなければならなかった。すなわち、歯磨き粉チューブのキャップを開け又は閉める動作、歯磨き粉チューブ内の歯磨き粉を歯ブラシに絞り出す動作においては、必ず両手を使わなければ出来ないものであった。
【０００４】
しかしながら、怪我等で片手が使えない場合、片手に障害があり不自由な場合、老齢になり思うように手の自由が利かなくなった場合等においては、片手で作業するしかなく、歯磨き粉チューブから歯ブラシに歯磨き粉を絞り出す作業が非常に困難なものであった。
【０００５】
本発明は、以上の問題点を解決し、片手で作業をするだけで、歯ブラシに歯磨き粉を付けることができるようにした歯磨き粉押出装置を提供することを目的とする。
【０００６】
【課題を解決するための手段】
本発明による歯磨き粉押出装置は、歯磨き粉を充填したボトルと、このボトル内の歯磨き粉を吸引吐出する往復ポンプと、この往復ポンプの往復部材を摺動させる摺動部の上端に形成された歯ブラシ載置部と、往復ポンプの吐出口に連結された送出し管と、歯ブラシの先端を係合させる係合部とを有し、前記送出し管の先端吐出口が歯ブラシ載置部の略上方に位置するとともに、前記係合部が歯ブラシ載置部の略水平方向近傍に位置することを特徴として構成されている。
【０００７】
本発明の歯磨き粉押出装置においては、歯ブラシを係合部に係合させ、歯ブラシをそのまま下方ヘ動かし歯ブラシ載置部を下方へ押込む。すると、ポンプにより歯磨き粉が吸引され、送出し管を通って押し出される。歯磨き粉が押し出される位置が歯ブラシの上方であるので、歯磨き粉は歯ブラシ上に落下する。したがって、歯ブラシに歯磨き粉を付けることができる。
【０００８】
【発明の実施の形態】
本発明の歯磨き粉押出装置においては、ボトル内の歯磨き粉を往復ポンプで吸引吐出するものであり、この往復ポンプとしては、ピストンポンプ、プランジャポンプ等、従来石けん液等に用いられているものを用いることができる。このような往復ポンプは、シリンダ内をピストン等の往復部材を摺動させることにより、歯磨き粉を吸引・吐出するものであるが、この往復部材を摺動させる摺動部の上端に、歯ブラシ載置部が形成されている。
【０００９】
歯ブラシ載置部は、歯磨き粉を押し出す際、歯ブラシにより押圧されるもので、歯ブラシが外れないように、両側を上方に突出した突出片を形成、例えば、「Ｕ」字状、円弧状に形成することが好ましい。さらに、両側を上方に突出させ、その上端において内側にさらに突出した突出片をさせることがより好ましい。このような構成にすることにより、歯ブラシを歯ブラシ載置部に固定することができる。また、歯ブラシ載置部を、手前から奥側に向かって幅細に形成することもより好ましい。このような構成にすることにより、歯ブラシを歯ブラシ載置部に載せる際、手前の幅広部分に誘導されて簡単に取り付けることができる。
【００１０】
係合部は、歯ブラシの先端が係合して先端の固定状態を維持できるものであればよく、例えば、突出した係合片としても、窪んだ凹部としてもよい。また、係合片とした場合、歯ブラシ先端が外れないように、歯ブラシの側面に当接するような構造、例えば、Ｕ字上、円弧状に形成することが好ましい。係合部は、歯ブラシ載置部の略水平方向近傍に配置されており、歯ブラシ載置部と同じ高さである必要はなく、若干高くても、低くてもよい。
【００１１】
送出し管は、その先端吐出口が歯ブラシ載置部の略上方に配置されている。すなわち、歯ブラシを載置した状態において、歯磨き粉が歯ブラシ上に落ちる範囲において上方であればよい。
【００１２】
本願による歯磨き粉押出装置に用いる歯磨き粉は、ポンプにより吸引できる形態のものであれば特に限定されず、通常は練り歯磨き粉及び液体歯磨き粉を用いる。
【００１３】
本発明による歯磨き粉押出装置の一実施形態を図面を参照して説明する。
【００１４】
図１は歯磨き粉押出装置の斜視図、図２は歯磨き粉押出装置の側面図、図３は歯磨き粉押出装置の正面図、図４は歯磨き粉押出装置の使用状態を示す斜視図である。
【００１５】
これらの図において、１０はＬ字状をした枠体で、底板１１と背板１２とで構成されている。そして、背板１２には縦方向に貫通した長孔１３が形成されており、下方の入口１４及び情報の出口１５は縦方向に長い長円状に形成されている。底板１１上には、歯磨き粉が充填されたボトル２０が固定されており、このボトル２０の上部には歯磨き粉を吸引するためのポンプ３０が着脱自在に取り付けられている。このポンプ３０は、ボトル２０に取り付けるための螺着キャップ３１が設けられるとともに、この螺着キャップ３１内を摺動自在に上下する摺動部３２が設けられ、摺動部３２の下部には吸引ホース３３が連結され、さらに、摺動部３２の上部には歯ブラシ載置部３４が形成されている。なお、摺動部３２には、シリンダ（図示せず）及びシリンダ内を往復運動するピストン（図示せず）が設けられるとともに、バネ（図示せず）が設けられ常に上方に付勢されるようになっている。そして、吸引ホース３３はボトル２０の略底面まで達するように配置され、また、歯ブラシ載置部３４は歯ブラシを固定できるように上方が開口した略「Ｕ」字状に形成されている。
【００１６】
また、ポンプ３０の吐出口３５には送出し管４０が連結されており、この送出し管４０は、前記入口１４から長孔１３に挿入され、そして、その先端の吐出口４１が出口１５から引き出されて歯ブラシ載置部３４の上方になるように配置されている。なお、送出し管４０の吐出口４１には、歯磨き粉の乾燥や、雑菌の繁殖を防止するために、蓋を設けることができる。
【００１７】
前記枠体の背板１２において、歯ブラシ載置部３４より若干高い位置に係合片５０が形成されている。この係合片５０は歯ブラシの先端を下面において係合させて固定するためのもので、下方が開口した略「Ｕ」字状に形成されている。
【００１８】
以上のような歯磨き粉押出装置で歯磨き粉を歯ブラシに付けるには、図４に示すように、歯ブラシ６０の先端を係合片５０下側に当接させるとともに、歯ブラシ６０の中間部分を歯ブラシ載置部３４の上面に位置させる。そして、歯ブラシ６０を係合片５０を支点、手で把持した部分を力点、歯ブラシ載置部３４を作用点として下方へ押し下げる。すると、歯ブラシ載置部３４は歯ブラシ６０により下方へ押し下げられるので、ボトル２０内の歯磨き粉７０は吸引され、吸引ホース３３、シリンダ及び送出し管４０を介して吐出口４１から歯ブラシ６０に押し出される。この時、係合片５０及び歯ブラシ載置部３４は、「Ｕ」字状に形成されているので、歯ブラシ６０が係合片５０及び歯ブラシ載置部３４から外れることが無い。また、歯ブラシ載置部３４の押込み長さを調整することにより、押し出す磨き粉７０の量を所望の量とする。この後、歯ブラシ６０を引き抜き歯磨きの作業を開始する。
【００１９】
図５及び図６は歯磨き粉押出装置の他の実施形態を示すもので、図５は歯磨き粉押出装置の正面図、図６は同上断面図である。
【００２０】
図５及び図６に示す歯磨き粉押出装置は、箱体８０の内部にボトル２０が収納されているもので、箱体８０に係合片８１が形成されている。また、箱体８０に隣接して歯ブラシを収納するための歯ブラシ収納箱８２が設けられている。ボトル２０、ポンプ３０等、その他の構成は図１〜４に示した歯磨き粉押出装置と同様である。
【００２１】
図７、図８及び図９はそれぞれ係合片の他の実施形態を示す斜視図である。
【００２２】
図７に示す係合片５０は、円弧状に形成したものであり、図８に示す係合片５０は、２個の部材長円状の凸片５１を「ハ」字状に形成したものであり、図９に示す係合片５０は、２個の円形の凸片５２を歯ブラシが係合するだけの長さを隔てて形成したものである。
【００２３】
図１０及び図１１は歯ブラシ載置部の他の実施形態を示す斜視図である。
【００２４】
図１０に示す歯ブラシ載置部９１は、手前側から奥側に向かって幅細となった台形状の底部９２が設けられ、この底部９２の両側に上方に折曲された側部９３が形成され、さらに、側部９３の上端において内側に折曲されて上端係合片９４が形成されている。この歯ブラシ載置部９１においては、手前側が幅広となっているので、水平方向から歯ブラシを差し込むことにより上端係合片９４に容易に係合させることができ、かつ、上端係合片９４により、歯ブラシの押圧動作時に外れるのを防止することができる。
【００２５】
図１１に示す歯ブラシ載置部９５は、図１０に示す歯ブラシ載置部９１において、上端係合片９４の手前側に切欠き９６が形成されたもので、その他の構成は歯ブラシ載置部９１と同様である。この歯ブラシ載置部９５においては、歯ブラシを係合させる際、手前上方から斜下方に移動させることにより係合させることができるので、歯ブラシの係合作業がより容易となる。
【００２６】
【発明の効果】
本発明は、歯ブラシでポンプを押込むことにより歯磨き粉を歯ブラシに押し出すことができるようにしたので、片手で作業でき、怪我等の理由により両手が使えないような場合であっても、歯磨き粉を簡単、かつ確実に歯ブラシに付けることができる。また、歯磨き粉を押し出すのはポンプによるので、残量が少なくなっても、何ら特別な作業（例えば、チューブの場合のように、端から丸める作業）をする必要なく歯磨き粉を確実に押し出すことができる。さらに、ボトルに歯磨き粉を詰め替えることにより、ボトルを廃棄する必要が無く、環境に優しいものである。
【図面の簡単な説明】
【図１】本発明による歯磨き粉押出装置の一実施形態の斜視図である。
【図２】本発明による歯磨き粉押出装置の一実施形態の側面図である。
【図３】本発明による歯磨き粉押出装置の一実施形態の正面図である。
【図４】本発明による歯磨き粉押出装置の一実施形態の使用状態を示す斜視図である。
【図５】本発明による歯磨き粉押出装置の他の実施形態の正面図である。
【図６】本発明による歯磨き粉押出装置の他の実施形態の側面図である。
【図７】本発明による歯磨き粉押出装置における係合片の他の実施形態の斜視図である。
【図８】本発明による歯磨き粉押出装置における係合片の他の実施形態の斜視図である。
【図９】本発明による歯磨き粉押出装置における係合片の他の実施形態の斜視図である。
【図１０】本発明による歯磨き粉押出装置における歯ブラシ載置部の他の実施形態を示す斜視図である。
【図１１】本発明による歯磨き粉押出装置における歯ブラシ載置部の他の実施形態の斜視図である。
【符号の説明】
１０…枠体
２０…ボトル
３０…ポンプ
３４…歯ブラシ載置部
４０…送出し管
５０…係合片（係合部）
６０…歯ブラシ
７０…歯磨き粉
【図１】
2004049620.tif 000003
【図２】
2004049620.tif 000004
【図３】
2004049620.tif 000005
【図４】
2004049620.tif 000006
【図５】
2004049620.tif 000007
【図６】
2004049620.tif 000008
【図７】
2004049620.tif 000009
【図８】
2004049620.tif 000010
【図９】
2004049620.tif 000011
【図１０】
2004049620.tif 000012
【図１１】
2004049620.tif 000013